(57)【特許請求の範囲】
【請求項１】
四隅の柱の上下端を天井梁および床梁で連結して箱状に形成されたフレームを有する建物ユニットの角隅部が寄せ合わされて複数配置された下側建物ユニットと、この下側建物ユニットの上に積層された上側建物ユニットとを備えたユニット式建物において、
前記下側建物ユニットのうち少なくとも２つの互いに隣接する建物ユニットは、互いに略平行に隣接する天井梁が省略されて大空間用下側建物ユニットとされ、
これら大空間用下側建物ユニットの上の上側建物ユニットは、前記省略された天井梁に略平行に隣接する床梁が省略されて大空間用上側建物ユニットとされ、
前記大空間用下側建物ユニットの省略された天井梁の両端に位置する柱のうち少なくとも１つと、前記大空間用上側建物ユニットの省略された床梁の両端に位置する柱のうち少なくとも１つとは、補強材で補強され、
前記補強材は、前記下側建物ユニットの柱脚部分から前記上側建物ユニットの柱頭部分まで連続して設けられ、
前記補強材は、連続する２つの補強部と、前記柱の上面または下面に接合される固定部とを備え、
前記２つの補強部は、前記大空間用下側建物ユニットの柱を含む互いに水平方向に隣接する柱間と、前記大空間用上側建物ユニットの柱を含む互いに水平方向に隣接する柱間とにそれぞれ介装され、かつこれら柱の側面に当接され、
前記２つの補強部は一体成形され、前記固定部は、この一体成形された補強部の側面に設けられることを特徴とするユニット式建物。
【請求項２】
請求項１に記載のユニット式建物において、
前記固定部は、前記大空間用下側建物ユニットの柱を含む互いに水平方向に隣接する柱の上面に跨って接合されていることを特徴とするユニット式建物。
【請求項３】
請求項１に記載のユニット式建物を建築するユニット式建物の建築方法であって、
前記大空間用上側建物ユニットおよび大空間用下側建物ユニットを工場で製造した後、これら大空間用上側建物ユニットおよび大空間用下側建物ユニットの省略された天井梁および床梁部分に仮梁を設けて現場に運搬し、大空間用下側建物ユニットをその角隅部を寄せ合わせて複数配置して前記下側建物ユニットを形成し、補強材で前記大空間用下側建物ユニットの省略された天井梁の両端に位置する柱のうち少なくとも１つと、前記大空間用上側建物ユニットの省略された床梁の両端に位置する柱のうち少なくとも１つとを補強し、前記下側建物ユニットの上に前記大空間用建物ユニットを積層して上側建物ユニットを形成した後、前記仮梁を撤去し、
前記補強材は、前記下側建物ユニットの柱脚部分から前記上側建物ユニットの柱頭部分まで連続して設けられ、前記補強材は、連続する２つの補強部と、前記柱の上面または下面に接合される固定部とを備え、前記２つの補強部は、前記大空間用下側建物ユニットの柱を含む互いに水平方向に隣接する柱間と、前記大空間用上側建物ユニットの柱を含む互いに水平方向に隣接する柱間とにそれぞれ介装され、かつこれら柱の側面に当接され、前記２つの補強部は一体成形され、前記固定部は、この一体成形された補強部の側面に設けられることを特徴とするユニット式建物の建築方法。
【発明の詳細な説明】
【０００１】
【発明の属する技術分野】
本発明は、箱状の建物ユニットを複数連結して形成したユニット式建物およびその建築方法に関する。
【０００２】
【背景技術】
従来より、工場で製造した箱状の建物ユニットを、建築現場で複数連結させて建築されるユニット式建物が利用されている。
このユニット式建物を形成する建物ユニットとしては、四隅の柱の上下端を天井梁および床梁で連結した箱状のフレームを有するものが一般的である。フレームには、天井梁に支持される天井面材、床梁に支持される床面材および部屋を仕切る間仕切壁等の内装材や、軽量気泡コンクリート等で形成された外壁等の外装材が工場で組付けられている。
このようなユニット式建物によれば、工場において箱状のフレームに内装材や外壁材の取り付け作業まで行って建物ユニットを製造した後、これら建物ユニットを現場に運搬して連結作業を行うだけで建物が完成するから、建築現場での作業が大幅に削減され、建築工事を短期間で完了できるという利点がある。
【０００３】
以上のようなユニット式建物において、顧客が吹き抜け空間を希望する場合がある。吹き抜け空間は、例えば、建物ユニットを上下に積層させ、下側の建物ユニットの天井面略中央と上側の建物ユニットの床面略中央に開口部を設けることによって形成される。このようにすれば、下側建物ユニットの天井面および上側建物ユニットの床面の各々略中央に開口部を設けるだけでよいため、開口部周囲の天井梁、床梁等で構成されるフレームの強度を低下させることなく、容易に吹き抜け空間を形成することができる（特開平１０−２８０５４７号公報参照）。
【０００４】
【発明が解決しようとする課題】
ところで、上述した吹き抜け空間より大きな吹き抜け空間を顧客が希望する場合、例えば、水平方向に隣接する複数の建物ユニットに各々開口部を設けることによって吹き抜け空間を形成することとなる。しかし、これら開口部同士の間には天井梁および床梁が露出するため、全体で１つの吹き抜け空間という印象を与えることが困難となり、吹き抜け空間の開放感を十分に楽しむことができない可能性があった。
【０００５】
本発明の目的は、開放感あふれる吹き抜け空間を備えるとともに地震等の水平力に耐えうるユニット式建物およびその建築方法を提供することにある。
【０００６】
【課題を解決するための手段】
上記目的を達成するため、本発明のユニット式建物およびその建築方法は、次の構成を採用する。本発明を図面を参照して説明すると、請求項１に記載のユニット式建物１０，１４は、四隅の柱４１の上下端を天井梁４２および床梁４３で連結して箱状に形成されたフレーム４０を有する建物ユニット２０の角隅部が寄せ合わされて複数配置された下側建物ユニット１２Ａと、この下側建物ユニットの上に積層された上側建物ユニット１２Ｂとを備えたユニット式建物において、前記下側建物ユニットのうち少なくとも２つの互いに隣接する建物ユニットは、互いに略平行に隣接する天井梁が省略されて大空間用下側建物ユニット２１とされ、これら大空間用下側建物ユニットの上の上側建物ユニットは、前記省略された天井梁に略平行に隣接する床梁が省略されて大空間用上側建物ユニット２２とされ、前記大空間用下側建物ユニットの省略された天井梁の両端に位置する柱４７のうち少なくとも１つと、前記大空間用上側建物ユニットの省略された床梁の両端に位置する柱４７のうち少なくとも１つとは、補強材で補強され、前記補強材は、前記下側建物ユニットの柱脚部分から前記上側建物ユニットの柱頭部分まで連続して設けられ、前記補強材は、連続する２つの補強部と、前記柱の上面または下面に接合される固定部５３，６３とを備え、前記２つの補強部は、前記大空間用下側建物ユニットの柱を含む互いに水平方向に隣接する柱間と、前記大空間用上側建物ユニットの柱を含む互いに水平方向に隣接する柱間とにそれぞれ介装され、かつこれら柱の側面に当接され、前記２つの補強部は一体成形され、前記固定部は、この一体成形された補強部の側面に設けられることを特徴とする。
【０００７】
この発明によれば、天井梁が省略された大空間用下側建物ユニットおよび床梁が省略された大空間用上側建物ユニットを用いることによって吹き抜け空間を形成したので、複数の建物ユニットに亘って吹き抜け空間を設けることができ、開放感あふれる吹き抜け空間とすることができる。この時、省略された天井梁の両端に位置する柱のうち少なくとも１つと、省略された床梁の両端に位置する柱のうち少なくとも１つとを補強材で補強したので、天井梁および床梁を省略しても、ユニット式建物全体として剛性を確保することができ、地震等の水平力に十分抵抗できる。
【０００８】
ここで、補強の対象となる柱に互いに水平方向に隣接する柱は、前記省略された天井梁および床梁の両端に位置しない柱に限らず、前記省略された天井梁および床梁の両端に位置する柱も含まれる。つまり、補強材を補強の対象となる柱同士の間に介装してもよい。この発明によれば、補強材を、補強の対象となる柱とこの柱に互いに水平方向に隣接する柱との間に介装し、かつこれら柱の側面に当接させたので、例えば、地震等による水平力が作用した場合でも、これらの柱と補強材とが一体となって水平力を負担するから、ユニット式建物の剛性を確実に向上できる。
【０００９】
この発明によれば、補強材を補強の対象となる柱の全長に亘って設けたので、地震等による水平荷重が作用した場合に、特に負担の大きい柱頭部分および柱脚部分を含んで補強できるから、ユニット式建物の剛性をさらに向上できる。
【００１０】
この発明によれば、補強材を下側建物ユニットの柱間から上側建物ユニットの柱間まで連続して設けたので、補強材によって上下の建物ユニットの柱が一体となって補強されるから、ユニット式建物の剛性をより向上できる。
【００１１】
この発明によれば、補強材に固定部を設けたので、固定部によって補強材の位置が建物ユニットの柱の側面に固定されて、ずれを抑えることができるから、ユニット式建物を確実に補強できる。
【００１２】
請求項２に記載のユニット式建物は、請求項１に記載のユニット式建物において、前記固定部は、前記大空間用下側建物ユニットの柱を含む互いに水平方向に隣接する柱の上面に跨って接合されていることを特徴とする。
請求項３に記載のユニット式建物の建築方法は、請求項１に記載のユニット式建物を建築するユニット式建物の建築方法であって、前記大空間用上側建物ユニットおよび大空間用下側建物ユニットを工場で製造した後、これら大空間用上側建物ユニットおよび大空間用下側建物ユニットの省略された天井梁および床梁部分に仮梁を設けて現場に運搬し、大空間用下側建物ユニットをその角隅部を寄せ合わせて複数配置して前記下側建物ユニットを形成し、補強材で前記大空間用下側建物ユニットの省略された天井梁の両端に位置する柱のうち少なくとも１つと、前記大空間用上側建物ユニットの省略された床梁の両端に位置する柱のうち少なくとも１つとを補強し、前記下側建物ユニットの上に前記大空間用建物ユニットを積層して上側建物ユニットを形成した後、前記仮梁を撤去し、前記補強材は、前記下側建物ユニットの柱脚部分から前記上側建物ユニットの柱頭部分まで連続して設けられ、前記補強材は、連続する２つの補強部と、前記柱の上面または下面に接合される固定部とを備え、前記２つの補強部は、前記大空間用下側建物ユニットの柱を含む互いに水平方向に隣接する柱間と、前記大空間用上側建物ユニットの柱を含む互いに水平方向に隣接する柱間とにそれぞれ介装され、かつこれら柱の側面に当接され、前記２つの補強部は一体成形され、前記固定部は、この一体成形された補強部の側面に設けられることを特徴とする。
【００１３】
この発明によれば、大空間用上側建物ユニットおよび大空間用下側建物ユニットを現場へ運搬する際に、省略された天井梁および床梁部分に仮梁を設けたので、運搬時に多少の振動、衝撃が加わっても、大空間用上側建物ユニットおよび大空間用下側建物ユニットのフレームが変形することがないから、ユニット式建物の施工精度を確保できる。
【００１４】
【発明の実施の形態】
以下、本発明の各実施形態を図面に基づいて説明する。なお、以下の実施形態の説明にあたって、同一構成要件については同一符号を付し、その説明を省略もしくは簡略化する。
〔第１実施形態〕
図１には、本実施形態に係るユニット式建物１０の全体斜視図が示されている。このユニット式建物１０は、基礎１１と、この基礎１１の上に設けられた建物本体１２と、この建物本体１２の上に設けられた屋根１３とを備えている。
このうち、建物本体１２は、下側建物ユニットとしての１階建物ユニット１２Ａと、この１階建物ユニット１２Ａの上に設けられた上側建物ユニットとしての２階建物ユニット１２Ｂとを備え、これら各階建物ユニット１２Ａ、１２Ｂは、複数の建物ユニット２０で構成されている。
【００１５】
図２には、建物ユニット２０のフレーム４０の全体斜視図が示されている。
建物ユニット２０は、図２に示すように、四隅の柱４１の上下端を連結する天井梁４２および床梁４３を有する箱状のフレーム４０を備えている。このうち、柱４１と天井梁４２とは、柱４１の柱頭側に配置される柱頭接合部材４５を介して連結され、柱４１と床梁４３とは、柱４１の柱脚側に配置される柱脚接合部材４６を介して連結されている。
天井梁４２としては、長さの異なる短辺天井梁４２Ａおよび長辺天井梁４２Ｂの二種類が設けられ、床梁４３としては、長さの異なる短辺床梁４３Ａおよび長辺床梁４３Ｂの二種類が設けられている。また、対向する長辺天井梁４２Ｂの間には、天井面材を支持するための天井小梁が架け渡され（図示省略）、また、対向する長辺床梁４３Ｂの間には、床を形成するパーチクルボード等の床面材を支持するための複数の根太が架け渡されている（図示省略）。
【００１６】
図３には、ユニット式建物１０の１階概略平面図が示され、図４には、ユニット式建物１０の断面図が示されている。
建物ユニット２０は、その角隅部が寄せ合わされて、その梁間方向に３個、桁行方向に２個の計６個配置されてユニット式建物１０の各階建物ユニット１２Ａ、１２Ｂを形成している。
【００１７】
ユニット式建物１０の図３中上端には、１階から２階への吹き抜け空間Ｓ１が形成されており、この吹き抜け空間Ｓ１は、２つの大空間用下側建物ユニットとしての大空間用１階建物ユニット２１と、２つの大空間用上側建物ユニットとしての大空間用２階建物ユニット２２とを含んで構成されている。
【００１８】
大空間用１階建物ユニット２１は、１階建物ユニット１２Ａの建物ユニット２０において、２つの互いに略平行に隣接する短辺天井梁４２Ａが省略されて形成されている。
大空間用２階建物ユニット２２は、大空間用１階建物ユニット２１の上に設けられ、２階建物ユニット１２Ｂの建物ユニット２０において、前記省略された短辺天井梁４２Ａに略平行に隣接する短辺床梁４３Ａが省略されて形成されている。
【００１９】
ここで、大空間用１階建物ユニット２１および大空間用２階建物ユニット２２の柱４１のうち、省略された短辺天井梁４２Ａおよび短辺床梁４３Ａの両端に位置する８本の柱４７は、補強材３０Ｂによって補強されている。
【００２０】
図５には、補強材３０Ｂの全体斜視図が示されている。
補強材３０Ｂは、同一軸線上に設けられて連続する２つの補強部６１および補強部６２と、これら補強部６１および補強部６２の互いに対向する一端面同士の間に設けられた平板状の固定部５３または固定部６３とを備えている。
【００２１】
補強部６１，６２は、長さ寸法Ｌ、厚みＷを有する平板状の長尺材で形成され、その表裏面に当接面６４Ａを備えている。
固定部６３は、略長方形であって、４個の位置決め孔６３Ａと２個の挿通孔６３Ｂとを備えている。固定部５３は、図５中点線で示されるように、固定部５３を２つ繋ぎ合わせた略長方形であって、８個の位置決め孔５３Ａと２個の挿通孔５３Ｂとを備えている。
【００２２】
図６および図７には、建物ユニット２０の連結部分の分解斜視図および断面図が示されている。
補強材３０Ｂの補強部６１および補強部６２は、大空間用１階建物ユニット２１および大空間用２階建物ユニット２２の柱４７を含む互いに隣接する柱４１間、ここでは２本の柱４７間に介装され、かつこれら柱４７の側面に当接面６４Ａで当接している。
つまり、補強部６１および補強部６２の厚みＷは、柱４７同士の間に形成される隙間とほぼ同一となっている。
また、補強部６１および補強部６２の長さ寸法Ｌは、１階建物ユニット１２Ａおよび２階建物ユニット１２Ｂの柱４１の高さ寸法にほぼ等しくなっている。
【００２３】
補強材３０Ｂの固定部５３は、１階建物ユニット１２Ａの大空間用１階建物ユニット２１の柱４７を含む水平方向に隣接する４本の柱４１の上面としての柱頭接合部材４５に跨って接合され、これにより、水平方向に隣接する大空間用１階建物ユニット２１を含む４つの建物ユニット２０が連結されている。
補強材３０Ｂの固定部６３は、固定部５３と同様に、柱４１の上面または下面としての柱頭接合部材４５および柱脚接合部材４６に接合されて、水平方向に隣接する大空間用１階建物ユニット２１を含む２つの建物ユニット２０を連結している。
また、固定部５３および固定部６３は、１階建物ユニット１２Ａの柱頭接合部材４５と、これら柱頭接合部材４５の上に配置される２階建物ユニット１２Ｂの４本の柱４１の下面としての柱脚接合部材４６との間に介装され、これにより、上下方向に隣接する建物ユニット２０同士が連結されている。
【００２４】
具体的には、１階建物ユニット１２Ａの各柱頭接合部材４５の上面には、２個の位置決めピン４５Ａと、１個の挿通孔４５Ｂとが設けられている。また、２階建物ユニット１２Ｂの各柱脚接合部材４６の下面には、図示しない２個の位置決め孔と、１個の挿通孔４６Ｂとが設けられている。
【００２５】
１階建物ユニット１２Ａの柱頭接合部材４５の位置決めピン４５Ａが、補強材３０Ｂの固定部５３，６３の位置決め孔５３Ａ、６３Ａに挿通されて、２階建物ユニット１２Ｂの柱脚接合部材４６の位置決め孔に嵌合されることにより、各階建物ユニット１２Ａ、１２Ｂ同士の位置が決定される。
さらに、１階建物ユニット１２Ａの柱頭接合部材４５の挿通孔４５Ｂ、４６Ｂ、固定部５３，６３の挿通孔５３Ｂ、６３Ｂおよび２階建物ユニット１２Ｂの柱脚接合部材４６の挿通孔４６Ｂにボルト８１Ａが挿通され、このボルト８１Ａにナット８１Ｂが螺合されて締め付けられることにより、各階建物ユニット１２Ａ、１２Ｂ同士が連結される。
【００２６】
次に、ユニット式建物の組み立て手順を説明する。
まず、建物ユニット２０、大空間用１階建物ユニット２１、大空間用２階建物ユニット２２、および補強材３０Ｂを工場で製造した後、建築現場に運搬する。
この時、大空間用１階建物ユニット２１および大空間用２階建物ユニット２２の省略された短辺天井梁４２Ａおよび短辺床梁４３Ａ部分に仮梁を設けておく。
建築現場では、基礎１１を施工し、この基礎１１上に建物ユニット２０および大空間用１階建物ユニット２１をその角隅部を寄せ合わせて隣接配置し、１階建物ユニット１２Ａを形成する。
【００２７】
次に、大空間用１階建物ユニット２１の柱４７同士の間に補強材３０Ｂを設置して、水平方向に隣接する建物ユニット２０および大空間用１階建物ユニット２１の位置決めを行なう。
続いて、建物ユニット２０および大空間用２階建物ユニット２１を１階建物ユニット１２Ａの上に載置し、１階建物ユニット１２Ａ、２階建物ユニット１２Ｂ、および補強材３０Ｂをボルト８１Ａ、ナット８１Ｂで連結して一体化させた後、前記仮梁を撤去する。
その後、２階建物ユニット１２Ｂの上に屋根１３を施工する。
【００２８】
したがって、本実施形態によれば以下の効果がある。
（１）短辺天井梁４２Ａが省略された大空間用１階建物ユニット２１および短辺床梁４３Ａが省略された大空間用２階建物ユニット２２を用いることによって吹き抜け空間Ｓ１を形成したので、複数の建物ユニット２０に亘って吹き抜け空間を設けることができ、開放感あふれる吹き抜け空間とすることができる。
この時、省略された短辺天井梁４２Ａおよび短辺床梁４３Ａの両端に位置する８本の柱４７を補強材３０Ｂで補強したので、短辺天井梁４２Ａおよび短辺床梁４３Ａを省略しても、ユニット式建物１０全体として剛性を確保することができ、地震等の水平力に十分抵抗できる。
【００２９】
（２）補強材３０Ｂを、補強の対象となる柱４７同士の間に介装し、かつこれら柱４７の側面に当接面６４Ａを当接させたので、例えば、地震等による水平力が作用した場合でも、これらの柱４７と補強材３０Ｂとが一体となって水平力を負担するから、ユニット式建物１０の剛性を確実に向上できる。
【００３０】
（３）補強材３０Ｂを補強の対象となる柱４７の全長に亘って設けたので、地震等による水平荷重が作用した場合に、特に負担の大きい柱頭部分および柱脚部分を含んで補強できるから、ユニット式建物１０の剛性をさらに向上できる。
【００３１】
（４）補強材３０Ｂを１階建物ユニット１２Ａの柱４７間から２階建物ユニット１２Ｂの柱４７間まで連続して設けたので、補強材３０Ｂによって大空間用１階建物ユニット２１および大空間用２階建物ユニット２２の柱４７が一体となって補強されるから、ユニット式建物１０の剛性をより向上できる。
【００３２】
（５）補強材３０Ｂに固定部５３，６３を設けたので、固定部５３，６３によって補強材３０Ｂの位置が大空間用１階建物ユニット２１および大空間用２階建物ユニット２２の柱４７の側面に固定されて、ずれを抑えることができるから、ユニット式建物１０を確実に補強できる。
【００３３】
（６）大空間用１階建物ユニット２１および大空間用２階建物ユニット２２を現場へ運搬する際に、省略された短辺天井梁４２Ａおよび短辺床梁４３Ａ部分に仮梁を設けたので、運搬時に多少の振動、衝撃が加わっても、大空間用１階建物ユニット２１および大空間用２階建物ユニット２２のフレームが変形することがないから、ユニット式建物１０の施工精度を確保できる。
【００３４】
〔第２実施形態〕
図３には、本実施形態に係るユニット式建物１４の１階概略平面図が示されている。
【００３５】
ユニット式建物１４の図８中上端には、１階から２階への吹き抜け空間Ｓ２が形成されており、この吹き抜け空間Ｓ２は、４つの大空間用１階建物ユニット２１と４つの大空間用２階建物ユニット２２とを含んで構成されている。
【００３６】
ここで、大空間用１階建物ユニット２１および大空間用２階建物ユニット２２の柱４１のうち、省略された短辺天井梁４２Ａおよび短辺床梁４３Ａの両端に位置する８本の柱４７は、補強材３０Ａおよび補強材３０Ｂによって補強されている。
すなわち、大空間用１階建物ユニット２１および大空間用２階建物ユニット２２の柱４７が４本寄せ合わされた部分、つまり各柱４７が独立柱となっている部分には、補強材３０Ａが設置され、柱４７が２本寄せ合わされた部分には、補強材３０Ｂが設置されている。
【００３７】
図９には、補強材３０Ａの全体斜視図が示されている。
補強材３０Ａは、補強材３０Ｂと同様に、同一軸線上に設けられて長さ寸法Ｌを有する２つの補強部５１および補強部５２と、これら補強部５１および補強部５２の互いに対向する一端面同士の間に設けられた平板状の固定部５３とを備えている。
【００３８】
補強部５１，５２は、各々４つの補強片５４を備え、各補強片５４は、厚みＷを有する平板状の長尺材で形成され、その表裏面に当接面５４Ａを備えている。各補強片５４は、平面略十字形に配置されることによって、互いに水平方向に隣接する補強片５４の当接面５４Ａ同士が互いに交差している。
【００３９】
補強材３０Ａの補強部５１および補強部５２の各補強片５４は、大空間用１階建物ユニット２１および大空間用２階建物ユニット２２の互いに水平方向に隣接する４本の柱４７間に介装され、かつこれら柱４７の側面に当接面５４Ａで当接されている。
したがって、本実施形態によれば、上述した(１)〜(６)の効果と同様の効果がある。
【００４０】
なお、本発明は前記実施形態に限定されるものではなく、本発明の目的を達成できる範囲での変形、改良等は本発明に含まれるものである。
例えば、前記各実施形態では、補強部５１，６１と補強部５２，６２とを別体としたが、これらを一体成形し、補強部の側面に固定部を設けてもよい。このようにすれば、補強材３０Ａ、３０Ｂの剛性をより向上できるから、水平力に対するユニット式建物の剛性をより向上できる。
【００４１】
また、第１実施形態では、大空間用１階建物ユニット２１および大空間用２階建物ユニット２２の角隅部を２つ、建物ユニット２０の角隅部を２つの計４つの角隅部が寄せ合わされた部分には、補強材３０Ｂを設置したが、これに限らず、補強材３０Ａを設置してもよい。
【００４２】
また、各実施形態では、補強材３０Ｂを、大空間用１階建物ユニット２１および大空間用２階建物ユニット２２の２本の柱４７同士の間に介装したが、これに限らず、柱４７と、省略された短辺天井梁４２Ａおよび短辺床梁４３Ａの両端に位置しない柱４１との間に介装してもよい。
【００４３】
【発明の効果】
本発明のユニット式建物およびその建築方法によれば、次のような効果が得られる。
請求項１に記載のユニット式建物によれば、天井梁が省略された大空間用下側建物ユニットおよび床梁が省略された大空間用上側建物ユニットを用いることによって吹き抜け空間を形成したので、複数の建物ユニットに亘って吹き抜け空間を設けることができ、開放感あふれる吹き抜け空間とすることができる。
この時、省略された天井梁および床梁の両端に位置する柱のうち少なくとも１つを補強材で補強したので、天井梁および床梁を省略しても、ユニット式建物全体として剛性を確保することができ、地震等の水平力に十分抵抗できる。
【００４４】
請求項１に記載のユニット式建物によれば、補強材を、補強の対象となる柱とこの柱に互いに水平方向に隣接する柱との間に介装し、かつこれら柱の側面に当接させたので、例えば、地震等による水平力が作用した場合でも、これらの柱と補強材とが一体となって水平力を負担するから、ユニット式建物の剛性を確実に向上できる。
【００４５】
請求項１に記載のユニット式建物によれば、補強材を補強の対象となる柱の全長に亘って設けたので、地震等による水平荷重が作用した場合に、特に負担の大きい柱頭部分および柱脚部分を含んで補強できるから、ユニット式建物の剛性をさらに向上できる。
【００４６】
請求項１に記載のユニット式建物によれば、補強材を下側建物ユニットの柱間から上側建物ユニットの柱間まで連続して設けたので、補強材によって上下の建物ユニットの柱が一体となって補強されるから、ユニット式建物の剛性をより向上できる。
【００４７】
請求項１に記載のユニット式建物によれば、補強材に固定部を設けたので、固定部によって補強材の位置が建物ユニットの柱の側面に固定されて、ずれを抑えることができるから、ユニット式建物を確実に補強できる。
【００４８】
請求項３に記載のユニット式建物の建築方法によれば、大空間用上側建物ユニットおよび大空間用下側建物ユニットを現場へ運搬する際に、省略された天井梁および床梁部分に仮梁を設けたので、運搬時に多少の振動、衝撃が加わっても、大空間用上側建物ユニットおよび大空間用下側建物ユニットのフレームが変形することがないから、ユニット式建物の施工精度を確保できる。
【図面の簡単な説明】
【図１】本発明の第１実施形態に係るユニット式建物を示す全体斜視図である。
【図２】前記実施形態に係る建物ユニットのフレームを示す全体斜視図である。
【図３】前記実施形態に係るユニット式建物の１階概略平面図である。
【図４】前記実施形態に係るユニット式建物の断面図である。
【図５】前記実施形態に係る大空間用下側建物ユニットおよび大空間用上側建物ユニットの省略された天井梁および床梁の両端に位置する柱が２本寄せ合わされた部分に介装される補強材を示す全体斜視図である。
【図６】前記実施形態に係る建物ユニットの連結部分の分解斜視図である。
【図７】前記実施形態に係る建物ユニットの連結部分の断面図である。
【図８】本発明の第２実施形態に係るユニット式建物を示す概略平面図である。
【図９】前記実施形態に係る大空間用下側建物ユニットおよび大空間用上側建物ユニットの省略された天井梁および床梁の両端に位置する柱が４本寄せ合わされた部分に介装される補強材を示す全体斜視図である。
【符号の説明】
１０，１４  ユニット式建物
１２Ａ      下側建物ユニットとしての１階建物ユニット
１２Ｂ      上側建物ユニットとしての２階建物ユニット
２０        建物ユニット
２１        大空間用下側建物ユニットとしての大空間用１階建物ユニット
２２        大空間用上側建物ユニットとしての大空間用２階建物ユニット
３０Ａ、３０Ｂ      補強材
４０        フレーム
４１        柱
４２        天井梁
４３        床梁
４７        省略された天井梁および床梁の両端に位置する柱
５３，６３  固定部
【図１】
0004749611.tif 000002
【図２】
0004749611.tif 000003
【図３】
0004749611.tif 000004
【図４】
0004749611.tif 000005
【図５】
0004749611.tif 000006
【図６】
0004749611.tif 000007
【図７】
0004749611.tif 000008
【図８】
0004749611.tif 000009
【図９】
0004749611.tif 000010